(57)【要約】【課題】集魚効果を促すことを目的にしたビシ。【解決手段】内側ケースと外側ケースに各々コマセを充填する為のコマセ挿入口を設け、コマセを放出する為のコマセ排出孔を内側ケースと外側ケース相方に設け，内側ケースのスライドにより外側ケースのコマセ排出孔を介し、コマセ挿入口より充填されたコマセが水中に放出される。この発明のコマセビシは内側ケース上部と外側ケース内下部に支承手段を設け、道糸支承部の孔を道糸を介してひっぱることにより、内側ケースに固着されているプラスチック製くの字型フックが、外側ケース下部の掛け止め部の鍵穴から押し出されることにより、内側ケースと外側ケースのコマセ排出孔が重なり合う為コマセが放出される。その結果内側ケースと外側ケースのマグネットどうしが互いに吸着される。本発明は投入の際は完全にコマセ排出孔を閉じ、目的とする棚でコマセ排出孔を開閉し、開閉後は再度閉塞しない事で集魚効果を促す様にしている。【選択図】　　　　　図１
2004073161.tif 000002
【特許請求の範囲】
【請求項１】
コマセ挿入口と充填されたコマセを露出させる為のコマセ排出孔を有し、ケース上部に道糸支承部をケース周面部の下に掛け止め用のプラスチック製くの字型フックを設けた内側ケースと、前記コマセ挿入口を開閉する蓋とコマセ排出孔を備え、掛け止め用のプラスチック製フックを受ける鍵穴を設けた外側ケースと海流の状況に応じる為の重量調節付きの錘部からなる。
本コマセビシは内側ケース上部に道糸支承部に固着せる円形穴明きマグネットを設け、外側ケース上部に固着せる円形穴明きマグネットを道糸支承部の孔を道糸を介して引っ張り互いに吸着させ、元に戻ろうとするのを抑えるマグネット手段を構成する。
又内側ケースに固着せるプラスチック製フックは通常外側ケースの掛け止め孔によりロックされ、内側ケースと外側ケースのコマセ排出孔が重なり合うことはなく閉塞された状態を生み出す。さらに道糸の引っ張りにより掛け止め用の孔からフックが外れることにより内側ケースがスライドされ、内と外のコマセ排出孔が重なることによりコマセが水中に散開放出する掛け止め手段を構成する。
【請求項２】
前記掛け止め手段は外側ケース下部に連結せる支承手段によって上下動を可能にする。又この支承手段においては左右にスライドを可能にする為に支承手段の円盤上に２つの軸索を設け、これにより内側ケースを動かす。
この為ポイントの状況に応じたコマセ放出の調節が可能となる請求項Ｉ記載のコマセビシ。
【発明の詳細な説明】
【０００１】
【発明の属する技術分野】
魚釣りの際、多くの魚を集めるために使用される集魚装置に関し、特に内部に充填したコマセを水中に放出する事により集魚効果を促すコマセビシに関する。
【０００２】
【従来の技術】
従来より魚をより多く捕獲する手段の１つとして集魚装置としてのコマセビシが使用されている。
【０００３】
このコマセビシは内部に多くの魚の餌であるコマセを充填し水面下に没した際、コマセ排出孔を介して、コマセを水中に放出拡散を目的とし、これにより魚をビシに集め集魚効果向上を目的とした物である。
【０００４】
従来のコマセビシ３０は概念断面図で示す図３の様に内部にコマセ３１を充填する収容部３０ａと収容部３０ａの下方に配送された錘３０ｂと収容部３０ａの上方に配設され、コマセ排出孔をスライドさせる為のマグネット手段３３により形成され、道糸３５により接続せる道糸接続用の孔３２が形成された道糸支承部３０ｃとから出来ている。
【０００５】
又、収容部３０ａは内ケースと外ケースに分かれており、それぞれコマセ排出孔が付いており、内側ケースにコマセ３１を挿入する為の挿入口が外側ケースにはコマセを充填する為の蓋が付けられている。このコマセ挿入口より収容部に入ったコマセ３１はマグネット手段３３の外用によりコマセ排出孔が開閉する収容部に挿入されたコマセ３１を水面下に没した際に露出されるコマセの拡散を効果的に排出する為複数のコマセ排出孔３４が形成されている。
【０００６】
この従来のコマセビシによると道糸接続用の孔３２に道糸３５を接続し水面下に落下すると錘３０ｂの重さにより除除に落下する。目標の深さに達した時道糸３５を　時止め、上に引き上げると道糸を介して道糸接続用の孔３２に力が伝わり外ケースがスライドされ、投入時セットし吸着したマグネットが離れ外側コマセ排出孔を介してコマセ排出孔が開き、コマセが海中に放出拡散される。これにより多くの魚が捕獲できる。
【０００７】
【発明が解決しようとする課題】
以上記述した従来のコマセビシでは魚が一般にその種類によって遊泳する深さが異なるという性質を利用して、特定の種類の魚を捕獲する為コマセビシ３０を該特定の種類の魚が遊泳する深さに配置しようとする事が有るが、この従来のコマセビシは図３の収容部３０ａの周面にコマセ３１を露出させ水面下に没した際に露出したコマセ３１を拡散により排出させる為の複数のコマセ排出孔３４が形成されており、図７の様にコマセを該コマセビシ３０に充填し投入道糸３２を引き上げマグネット手段を引き離す事によりコマセ排出孔が拡開しコマセが排出され、集魚効果を高める事が出来る事になるが、海底は起伏が有り障害物も多数存在する。
【０００８】
図６の右の図は海底の起伏よりコマセビシがどう変化するかを示した物である。左の図では平坦なのでコマセが放出されているが、右の図では錘部が岩に当たった為再びマグネットどうしが吸引され、その結果コマセ排出孔が閉じてしまいコマセが中に詰まり放出されない。これでは集魚効果を上げる事が出来ないという問題があった。
【０００９】
又、コマセビシを手に持って水中に落下した際のショック等によってマグネット手段が離され、水底に達した際にはコマセが中に何も入っていないというケースも有り、磁力が弱すぎるとショックにより投入直後ケースが離れ、すぐにコマセ排出孔ガ開いてしまう。強すぎるとマグネットが離れないのでコマセ排出孔を開く事ガ出来ないと言う問題点があった。
【００１０】
【課題を解決する為の手段】
以上の問題を解決する為にまず落下した際のビシの状況を把握する。折角投入してもコマセ排出孔が完全に開いたまま落下していったら、目的とする棚までコマセ挿入口より充填したコマセが徐徐に放出され、ポイントである棚に着いた頃には何も残っていない状況になる図８がその例であり、集魚効果を上げる事は出来ない。それを改善したのは図９で落下時内側ケースと外側ケースが掛け止め手段２１でロックされ外側ケースが動かないので、排出孔を介してコマセが放出散開される事がない。内側ケースのプラスチック製くの字型フックが外側ケースのカギ穴上部に当たり道糸引き上げにより屈曲し、ロックが解除され排出孔同士が繋がるため閉塞状況が解除、複数のコマセ排出孔よりコマセが海中に放出散開されて集魚効果を高める事が出来る様にした。
【００１１】
又、図３の今までのビシの様にコマセ排出孔を介してコマセ排出孔よりコマセが放出されていても岩や障害物により錘がぶつかり、折角コマセ排出孔が開いていても内ケースが上部にスライドし、マグネット手段が吸引し吸着し再度コマセ排出孔が閉じてしまい、コマセが内部に残ったままになってしまう状況も考えられる。
その点を改善し一度コマセ排出孔を目的とする棚で開閉した場合再度閉じない様にしたのが図７であり、道糸の引き上げによりマグネット５とマグネット６が吸引し合い吸着した後、強力なマグネットの採用によりコマセ排出孔が再度閉じない様に工夫した。
【００１２】
【発明の実施の形態】
この発明に関するビシを示す図１の概念断面図である。
図１で示す様にこのコマセビシは略円柱形状で中空の内ケース３と内ケース３の下方から該内ケース３を嵌挿する外ケース２と内ケース３にありコマセ排出孔を開閉する為の掛け止め手段２６を具え、外ケース内にあり１９ｃを介して内ケースを上下動自在に支承される支承手段を構成する。
【００１３】
この内ケースは円筒形状の周面部３ａと該周面部３ａを上方からおおう略円錐台形状に形成された上部３ｂと周面部３ａの下方を覆う下部３ｃから構成され内部にコマセ３１を収容する。なおこれら周面部３ａ上部３ｂ下部３ｃは１体形成が望ましい。
【００１４】
又、この内の周面部３ａは前記コマセ挿入口４１（図７）と網目状に形成された複数のコマセ排出孔１５と固着された掛け止め手段２６のプラスチック製くのフック２１を具える。内ケース上部には道糸接続用の孔が形成された道糸支承部７とマグネット手段１２が配設されている。
【００１５】
外ケースは内ケース３の周面部３ａを嵌挿する円筒形状の周面部２ａと該周面部２ａを上方からおおう略円錐台形状に形成された上部２ｂと下部２ｃから構成する。
【００１６】
この内の周面部２ａはコマセ挿入口４１を開閉する前記蓋４２と各コマセ排出孔１５を開閉する外側コマセ排出孔１４とコマセ排出孔の調節用の孔１８が周面部２ａの下部中央に空けてあり、内ケース３を下方に止め置く為のカギ穴が１６に２ヶ所空けており配置されている。
外側ケースコマセ排出孔１４は内側ケースのコマセ排出孔１５と同一形状の孔からなりコマセ排出孔１５と同一間隔の網目状が複数設けられている。
【００１７】
又、外ケースには道糸支承部を通す穴が中央にあり、周面部２ｂには複数の水排出用の孔４が形成され、マグネット手段のマグネット５と６が吸引し２ａ２ｂは１体形成されている。
【００１８】
さらに内ケース上方にあるマグネット６と外ケース上部にあるマグネット５で互いに吸引して吸着する事で外側ケースのコマセ排出孔を介してスライドし、コマセ排出孔１５を開閉するマグネット手段１２を構成する。
【００１９】
錘部は外側ケース３の支承手段１９をつなぎ止める雄ねじ部１７ａによりボルト１７ｂに螺合され、調節用のオモリが追加出来る構造になっている。
【００２０】
このようなビシを組み立てるには内ケース３に支承手段７を固着接合し外ケース２を嵌挿する上部３ａにはマグネット６を固着させ外ケース２のマグネット５とマグネット手段を構成する。内ケース３の周面部３ａには掛け止め手段としてプラスチック製のフック２１を接合し、掛け止め２６を形成し外ケースにカギ穴１６を設ける。
この様なビシではまずプラスチック製のフック２１が２ａの周面部のカギ穴１６に挿入されると外側コマセ排出孔１５が完全に閉塞され、コマセが拡散放出される事が無く目的とする魚の詠層までコマセが露出される事はない。
【００２１】
次に外ケース上部２ｂにマグネット５を固着し、内ケース３ａ上部のマグネット６とマグネット手段を構成する事により道糸を引き上げた際、外ケース２の周面部２ａのカギ穴１６によりプラスチック製のフック２１がカギ穴上部にかかり屈曲し押し上げられ、マグネット５と６が互いに吸引し合い内側コマセ排出孔がスライドする事により外側コマセ排出孔１５が開閉し内部に充填したコマセ３１が放出拡散される。
【００２２】
次に支承手段を組み立てる。１９ｂに１９ａを接着雄ねじ部１７ａにボルト１７ｂを螺合し、１９ａにコマセ排出孔の複数の孔調節用のネジ１９ｄを１９ａに付けておく。
これによりコマセ排出孔より放出されるコマセの量を調整する事が出来る。
この支承手段上下動可能左右回動出来る構造になっている。
【００２３】
次に外ケース下部に配設されている支承手段についてさらにくわしく述べると支承手段１９を上から詳しく別の図にして見た場合が図５である。１９の内１９ｃは軸条ネジに準じた形の物で内ケースを支承しているが形は丸でも四角でもどんな形でもよい。
１９の１９ｄ突起物も同様コマセ排出孔を調整する為、回動出来る為のつまみ部分とした事であり形状は特定なものにこだわらない。
【００２４】
内部ケースに固着されているプラスチック製のフックは外ケースのカギ穴１６と対でロックされる構造を取り、支承手段１９が回動する為左右に若干余裕を持たせてある。尚このフック２１の材質については硬いが適度な強力性と元に戻ろうとする性質を兼ね備えた物が有ればなお良い。
【００２５】
図６はケース上部から見た図で内ケースと外ケースの間に水の排出用の為の孔が空けてある。ビシの投入した後引き上げの動作を行なった時その空間に空気が入っているとスムーズに引き上げが出来ない。マグネットの吸引力を利用しても吸着しない場合もあるので設けた。
図２の上部拡大図、図６の外ケース４の様に水排出用の孔を複数設ける事でスムーズな引き上げ動作が可能になりこれによりコマセの排出孔が拡開され放出される。
【００２６】
このようなコマセビシによると道糸接続用の孔１１を介し道糸を接続して、水面下に投下するとコマセビシ１はその重力により落下する。
【００２７】
水面下に落下したコマセビシは当初、外ケース周面部２ａのカギ穴開口部１６に内ケースに固着されているプラスチック製のフック２１が挿入されロック条体になっており、そのままでは内側コマセ排出孔１５と外側コマセ排出孔孔１４が重なり合わず、海水が流入する事が無くコマセ排出孔が拡開しコマセが放出する事はない。
【００２８】
錘部２４が海底に着いてそれが道糸支承部の孔１１を介して道糸に伝わり始めて釣人は海底に着いた事を知り、目的とする魚の棚で的確にコマセを振り出す為の引き上げ動作を行なう。
【００２９】
その一連の動作により外ケース内の開口部がカギ穴１６にセットされているプラスチック製のフック２１が引き上げられる為、フックが屈曲し図２の２１の状態になる。
【００３０】
又それと共に投入時離れていたマグネット５と６は引き上げによりマグネット同士の吸引力により、互いに吸着し元に戻ろうとするのを防ぐという役割をする。
【００３１】
それと同時に内ケースのコマセ排出孔と外ケースのコマセ排出孔１４が重なり合いコマセ放出通路が形成され、コマセ挿入口より充填されたコマセがコマセ排出孔より放出拡開され集魚効果を高める事が出来る。
【００３２】
魚は一般的に遊泳する層が決まっており今回の発明のビシは鯵を対象としており底から１０ｍ近辺の事が多く鯖よりは深い泳層を遊泳捕食している。
その為コマセを撒く場合でも目的とする遊泳層まではコマセの露出を抑え、コマセを排出を促す場合でも集中的に効果的に放出拡散を行なう事が釣果向上のポイントである。
【００３３】
その為錘も大変重要で今回は独立して付け加えられる様にした外ケース内支承手段の１７ａのボルトと錘の中のネジ１７ナットで結合する様になっており、潮流や潮の状況等の変化などにより、一定の錘の使用ばかりだと錘が流されてしまい釣りに為らないが追加オモリを加える事が出来ればかなり流れのキツイ所でも釣果向上が期待しうる。
【００３４】
さらに付け加えるならば錘２４の下部にも追加用の錘を付け加える構造を持ったものを造ってたほうが釣果の向上に役立つ。
【００３５】
【発明の効果】
以上説明した様にこの発明のコマセビシでは該コマセビシを水面下に没する際に、掛け止め手段２６により外側ケースのコマセ排出孔と内側ケースのコマセ排出孔が全く重なり合わない為、ビシを完全に閉塞しかつマグネットの吸引力によりコマセ排出孔を開閉するマグネット手段を具え、道糸を介して道糸支承部の孔お引き上げる事により内側ケースもスライドされ、かつマグネット手段１２によりより完全な形でコマセが海中におけるポイントに放出拡開する事を特徴とするビシである。
【００３６】
このようなビシでは海底に着いたビシのおおよその深さを道糸を通じて知る事が出来、目的とする魚の泳層を適格につかむ事が出来る為、次からは海底まで落下させずに途中でコマセビシを止めて、一連の釣果向上に繋がる動作を行なう事が出来る。
【００３７】
又今回のビシはコマセ排出孔の調整の為に、外側ケース下部に付設せる支承手段の円盤における接触部分に摩擦抵抗の大きい表面を設ける事も出来るようにしたい。
ザラ筋にすることでコマセ排出孔を図５のレバー１９ｄを左右に動かす事で大きくしたり小さくしたりする事が可能となる。
【００３８】
魚は状況によっては大量にコマセが播かれても喰い気が起きない事も有り、徐々に放出する事によりその海域に長く居着く事も多く発表されており、調節する事で釣果向上が期待できる。
【図面の簡単な説明】
【図Ｉ】この発明に関わるコマセビシを示す概念断面図である。
【図２】この発明に関わるコマセビシの動作を示す概念断面図である。
【図３】従来のコマセビシの概念断面図である。
【図４】この発明に関わるコマセビシの上部断面図である。
【図５】この発明に関わるコマセビシの支承手段の概念断面図である。
【図６】従来のコマセビシを道糸に装着し、水面下に没した際の様子を示す概念断面図である。
【図７】本考案のコマセビシを道糸に装着し、水面下に没した際の様子を示す概念断面図である。
【図８】従来のコマセビシを道糸に装着し、水面に投入した直後の概念断面図である。
【図９】本考案のコマセビシを道糸に装着し、水面に投入した直後の概念断面図である。
【符号の説明】
１コマセビシ
２外側ケース
３内側ケース
４排出用通路孔
７道糸支承部
１１道糸を通す孔
１２マグネット手段
１４外側コマセ排出孔
１５内側コマセ排出孔
１７支承手段止めボルト
１９支承手段
２１プラスチック製くの字型フック
２４錘
２６掛け止め手段
３０従来のビシ
３１コマセ
３２道糸を通す穴
３３マグネット手段
３４コマセ排出孔
３５道糸
３６釣り針
４０鯵
４１コマセ挿入口
４２コマセ排出孔の蓋
【図１】
2004073161.tif 000003
【図２】
2004073161.tif 000004
【図３】
2004073161.tif 000005
【図４】
2004073161.tif 000006
【図５】
2004073161.tif 000007
【図６】
2004073161.tif 000008
【図７】
2004073161.tif 000009
【図８】
2004073161.tif 000010
【図９】
2004073161.tif 000011